(57)【特許請求の範囲】
【請求項１】
一方の面上又は上方に、記録情報を備えた第１の基紙と、
前記第１の基紙の他方の面上に、前記記録情報の少なくとも一部の情報に重なって配置され、かつ前記記録情報とは少なくとも一部の情報が異なるように形成された第１の擬似記録情報を備えた第１の隠蔽層と、
前記第１の隠蔽層の下に設けられた第２の基紙とを有することを特徴とする隠蔽用紙。
【請求項２】
前記第２の基紙の前記第１の隠蔽層側の面上に、前記記録情報の少なくとも一部の情報に重なって配置され、かつ前記記録情報とは少なくとも一部の情報が異なるように形成された第２の擬似記録情報を備えた第２の隠蔽層をさらに有することを特徴とする請求項１に記載の隠蔽用紙。
【請求項３】
前記記録情報は、文字、数字、図柄、マーク又は模様のうちのいずれかの情報或いはこれらを組み合わせた情報からなり、前記第１の擬似記録情報は、該記録情報に関連した情報からなる前記第１の隠蔽層から構成されていることを特徴とする請求項１に記載の隠蔽用紙。
【請求項４】
前記第１の擬似記録情報は、前記記録情報が配置されている向きに対して、同じ向き又は異なる向きのいずれかの向き或いは同じ向きと異なる向きとが混在する向きになるように配置されていることを特徴とする請求項１に記載の隠蔽用紙。
【請求項５】
前記第１の擬似記録情報と前記第２の擬似記録情報との情報同士は、少なくとも情報の一部が重なり合い、同じ向き又は異なる向きのいずれかの向き或いは同じ向きと異なる向きとが混在する向きになるように配置されていることを特徴とする請求項２に記載の隠蔽用紙。
【請求項６】
前記記録情報は、前記第１の基紙の一方の面上に、直接形成された印字層または印刷層であって、前記隠蔽用紙は圧着はがき、封書、くじ、ゲーム又は抽選券の用紙に用いられることを特徴とする請求項１乃至５のいずれか１項に記載の隠蔽用紙。
【請求項７】
前記記録情報は、前記第１の基紙の一方の面の上方に、前記第１の基材に接着しないで設けられた第３の基紙上に形成された印字層または印刷層であって、前記隠蔽用紙は、前記第３の基紙が封入される封筒の用紙に用いられることを特徴とする請求項１乃至５のいずれか１項に記載の隠蔽用紙。
【請求項８】
前記記録情報は、前記第１の基紙の前記第１の隠蔽層側とは反対側の面上方から該記録情報が確認できないように隠蔽されていることを特徴とする請求項１乃至６のいずれか１項に記載の隠蔽用紙。
【請求項９】
前記第１の基紙と第２の基紙とは、接着剤層で貼接され、該接着剤層の接着強度を、場所により異なるようにしていることを特徴とする請求項１乃至８のいずれか１項に記載の隠蔽用紙。
【請求項１０】
前記接着剤層は、黒色に着色されていることを特徴とする請求項９に記載の隠蔽用紙。
【請求項１１】
前記第２の基紙の前記第２の隠蔽層とは反対側の面上には、第２の記録情報を備えていることを特徴とする請求項２に記載の隠蔽用紙。
【請求項１２】
一方の面に記録情報を備え、他方の面に第１の隠蔽層を備えた第１の基紙と、
前記第１の隠蔽層の下に設けられた第２の基紙とを有し、
前記第１の基紙と前記第２の基紙とが、接着剤層で場所により接着強度が異なるように貼接されていることを特徴とする隠蔽用紙。
【請求項１３】
前記第２の基紙は、前記接着剤層側の面上に第２の隠蔽層を備えていることを特徴とする請求項１２に記載の隠蔽用紙。
【請求項１４】
前記第１の隠蔽層は、前記記録情報の少なくとも一部の情報に重なって配置され、かつ前記記録情報とは少なくとも一部の情報が異なるように形成された擬似記録情報を備えていることを特徴とする請求項１２に記載の隠蔽用紙。
【発明の詳細な説明】
【０００１】
【発明の属する技術分野】
本発明は隠蔽用紙に係わり、さらに詳しくは、くじ、ゲーム、抽選券、圧着はがき又は封書などの用紙に用いられる隠蔽用紙に関する。
【０００２】
【従来の技術】
従来から、塗膜で隠蔽された情報マークを備え、この塗膜をコインなどでスクラッチして情報マークを確認するスクラッチオフ方式のゲームが販売されている。この情報マークは、塗膜で隠蔽されているので、表面上方からゲームの情報マークを確認するのは困難である。
【０００３】
しかしながら、ゲームの用紙が紙のみからなる場合、光をゲームの用紙の裏側から透過させることにより、裏側から情報マークが透けて見える可能性がある。
これを防止するため、種々のタイプの隠蔽用紙が使用されている。用紙の間にアルミニウムなどの金属箔を挟んだ金属箔サンド紙、アルミニウムなどの金属を基紙の表面または裏面に蒸着した金属蒸着紙または基紙の間に黒紙を挟んだ黒紙サンド紙などである。これにより、ゲームの用紙の裏面からも情報マークを確認するのが困難になる。
【０００４】
また、従来から、通知書、請求書または給与明細書などには、内部の記録情報をする隠蔽する目的で、圧着はがき、三折封書または中抜き封書などが使用されている。これらの用紙の外側には、用紙の内側に記載された記録情報を隠蔽するために、用紙の内側に記載された金額やコメント文などの記録情報とは全く別の種類の地紋が印刷されている。
【０００５】
【発明が解決しようとする課題】
しかしながら、金属箔サンド紙や金属蒸着紙は、用紙に金属を挟み込んだり、蒸着するための特別な工程が必要になるため、コストが高くなるという問題がある。
さらに、金属箔サンド紙や金属蒸着紙には、金属が含まれているので再生紙として再生するのが困難である。また、黒紙サンド紙には、黒い顔料が含まれているので、これを原料にして再生紙を製造すると、黒っぽい再生紙になり白色度が高い再生紙を好む社会需要に対応できない。
【０００６】
すなわち、これらの用紙は、近年、社会要求が高まっているリサイクルなどの環境対策に対応するのが困難であるという問題がある。
さらに、従来の金属箔サンド紙や黒色サンド紙では、金属箔または黒紙と情報マークが形成された用紙との界面で剥がされ、裏面から情報マークが読み取られるおそれがある。
【０００７】
一方、圧着はがきや封書の用紙の外側に印刷された地紋は、内側の記録情報とは全く違う種類のものである。つまり、圧着はがきや封書の用紙に強い光を当て光を透過させると、用紙の内側の記録情報と外側の地紋とを区別して見ることができるので、圧着はがきや封書の内側の記録情報が封書の外部から読み取られるおそれがある。
【０００８】
すなわち、用紙の外側の一面に、内側の記録情報とは無関係の種類の地紋などが印刷された圧着はがきや封書は、記録情報に対する隠蔽性が低く、また、外側の一面を地紋などの印刷に用いていることから、印刷エリアを有効に活用できないとういう問題があった。
本発明は上記の問題点を鑑みて創作されたものであり、コストが安く、再生が容易で、隠蔽性が高く、圧着はがきなどの印刷エリアを有効に活用することができる隠蔽用紙を提供することを目的とする。
【０００９】
【課題を解決するための手段】
上記した課題は、一方の面上又は上方に、記録情報を備えた第１の基紙と、前記第１の基紙の他方の面上に、前記記録情報の少なくとも一部の情報に重なって配置され、かつ前記記録情報とは少なくとも一部の情報が異なるように形成された第１の擬似記録情報を備えた第１の隠蔽層と、前記第１の隠蔽層の下に設けられた第２の基紙とを有することを特徴とする隠蔽用紙によって解決される。
【００１０】
本発明によれば、基紙上の記録情報（以下、真の記録情報ともいう）を基紙の裏面から見えないように隠蔽するため、基紙の内側に真の記録情報の少なくとも一部の情報に重なって配置され、かつ前記記録情報とは少なくとも一部の情報が異なるように形成された第１の擬似記録情報を備えた第１の隠蔽層を有している。
【００１１】
すなわち、第１の隠蔽層が備えた第１の擬似記録情報は、基紙上の真の記録情報と類似しており、真の記録情報の一部、例えば、ある情報を特定できる文字やマークなどを異なるようにし、かつ真の記録情報と第１の擬似記録情報との文字やマーク同士がおおむね重なり合うようにして配置されている。
従って、隠蔽用紙を裏面から見た場合、真の記録情報と類似した文字やマークなどを確認することができるが、真の記録情報をなす文字やマークと擬似記録情報をなす文字やマークとがおおむね重なり合っているので、真の記録情報と擬似記録情報を区別して読みとることが困難になる。これにより、基紙の上方の記録情報が、裏面から読み取られることを防止することができ、隠蔽性を向上させることができる。
【００１２】
また、本発明の隠蔽用紙は、アルミニウムなどの金属を含まず、かつ黒紙を用いていないので、白色度が高い上質の再生紙に容易に再生することができる。
好ましい形態においては、前記第２の基紙の前記第１の隠蔽層側の面上に、前記記録情報の少なくとも一部の情報に重なって配置され、かつ前記記録情報とは少なくとも一部の情報が異なるように形成された第２の擬似記録情報を備えた第２の隠蔽層をさらに有する。
【００１３】
すなわち、真の記録情報と類似した擬似記録情報が２層にわたって形成され、さらに、真の記録情報の一部、例えば、記録情報を特定する文字やマークを第１の隠蔽層及び第２の隠蔽層の２層にわたって異なるようにしているので、真の記録情報を読み取ることをさらに困難にすることができ、隠蔽性をさらに向上させることができる。
【００１４】
また、好ましい形態においては、前記擬似記録情報は、前記記録情報が配置されている向きに対して、同じ向き又は異なる向きのいずれかの向き或いは同じ向きと異なる向きとが混在する向きになるように配置されている。さらに、前記第１の擬似記録情報と前記第２の擬似記録情報との情報同士は、少なくとも情報の一部が重なり合い、同じ向き又は異なる向きのいずれかの向き或いは同じ向きと異なる向きとが混在する向きになるように配置されている。
【００１５】
これによれば、例えば、真の記録情報の一部の文字やマークなどに対して、第１の擬似記録情報の文字やマークが重なり、かつ隠蔽性が高くなるような角度に傾けて配置させた場合、隠蔽用紙を裏面から見たとき、真の記録情報に類似した意味をなさない文字やマークが見えるだけなので、さらに、真の記録情報を正確に読み取ることができなくなる。
【００１６】
さらに、また、好ましい形態では、前記第２の基紙の前記隠蔽層とは反対側の面上には、第２の記録情報を備えている。
つまり、第１の基紙と第２の基紙との間、すなわち、用紙の内部に隠蔽層を備えているので、用紙の外側一面にわたって特別に地紋などを印刷して隠蔽する必要がない。これにより、用紙の外側一面にわたって、例えば公開情報などを印刷することができるので、用紙の印刷エリアを有効に活用することができる。
【００１７】
また、上記した課題は、一方の面に記録情報を備え、他方の面に第１の隠蔽層を備えた第１の基紙と、前記第１の隠蔽層の下に設けられた第２の基紙とを有し、第１の基紙の前記第１の隠蔽層側の面と前記第２の基紙とが、接着剤層で場所により接着強度が異なるように貼接されていることを特徴とする隠蔽用紙によって解決される。
【００１８】
本発明によれば、第１の基紙と第２の基紙とは、場所により接着強度が異なるようにして接着剤層で貼接されているので、真の記録情報を裏面から読み取ることを目的に、第１の基紙と第２の基紙との界面で無理やり剥がそうとしても、途中で基紙が切れるなどして上手く剥がすことができなくなる。
従って、無理やり隠蔽層を取り除くことにより真の記録情報が基紙の裏面から読み取られることを防止することができるので、隠蔽性を向上させることができる。
【００１９】
【発明の実施の形態】
以下、本発明の実施の形態について、添付の図面を参照しながら説明する。
（第１の実施の形態）
第１の実施の形態は、本発明の実施の形態の隠蔽用紙を圧着はがき又は封書の用紙に用いた例を示す。
【００２０】
図１（ａ）は、本発明の実施の形態の隠蔽用紙を用紙に用いた二ツ折圧着はがきを示す斜視図である。
図１（ａ）に示すように、二ツ折圧着はがきは、表面に記録情報が記録された第１の用紙１０と、外面にあて先が記録され、該記録情報を表面から隠蔽するための第２の用紙１２とを備え、これらが圧着されて作成される。この圧着はがきの受け取り人は、用紙１２を用紙１０から剥がすことにより、内側に記載された記録情報、例えば金額情報１３などを確認することができる。本発明の実施の形態の隠蔽用紙が用紙１０及び用紙１２に用いられている。
【００２１】
図１（ｂ）は、図１（ａ）のＩ−Ｉに沿った、用紙１０の金額情報１３が記載されている部分の部分断面図である。
図１（ｂ）に示すように、第１の基紙１４上には記録情報である金額情報１３をなす印字層２２が印字され、第１の基紙１４の下には、第１の隠蔽層１６が形成されている。そして、第１の隠蔽層１６の下には第２の隠蔽層１８が形成され、第２の隠蔽層１８の下には、第２の基紙２０が設けられている。
【００２２】
すなわち、本発明の実施の形態の隠蔽用紙は、表面に記録情報を備え、裏面に第１の隠蔽層１６を備えた第１の基紙１４と、第２の隠蔽層１８を備えた第２の基紙２０とが、これらの隠蔽層同士が対向するようにして接着剤層１３で貼接された構造になっている。そして、記録情報を隠蔽するため、第１の隠蔽層１６には第１の擬似記録情報が、第２の隠蔽層１８には第２の擬似記録情報が備えられている。
【００２３】
また、第２の基紙２０の第２の隠蔽層１８とは反対側、すなわち用紙１０裏面には、第２の記録情報である公開情報（図示せず）が印刷されている。この公開情報は隠蔽されておらず、圧着はがきの受け取り人以外の人もはがきの裏側から確認することができる情報である。さらに、用紙１２のあて先が記載された面の反対側の面には、例えば、用紙１０上の記録情報を説明するための説明文などが記録されている。
【００２４】
このようにして、本発明の実施の形態の隠蔽用紙を用紙に用いた二つ折圧着はがき１１が基本構成されている。
次に、本発明の実施の形態の隠蔽用紙の製造方法を説明しながら、第１の隠蔽層１６及び第２の隠蔽層１８によって記録情報が隠蔽される原理を説明する。
図２（ａ）は圧着はがきに記録された記録情報を示す平面図、図２（ｂ）は第１の擬似記録情報を示す平面図、図２（ｃ）は第２の擬似記録情報を示す平面図、図２（ｄ）は、記録情報、第１及び第２の擬似記録情報が重なり合った様子を隠蔽用紙の裏から透視した透視平面図である。
【００２５】
図２（ａ）に示すように、記録情報である金額情報が「￥１２３，４５６」である場合について説明する。
まず、例えば、化学パルプを７０％以上含有する第１の基紙１４を用意し、この表面の所定の領域に記録情報を印字して印字層２２を形成する。
その後、第１の基紙１４の裏側に、真の記録情報の文字と重なり、かつ文字の一部を別の文字に変えた第１の擬似記録情報を印字または印刷して第１の隠蔽層１６を形成する。
【００２６】
このとき、第１の擬似記録情報の文字は、真の記録情報の文字の中心部を軸にして任意の角度に回転させて配置させるのが好ましい。また、図２（ｂ）に示すように、第１の擬似記録情報の文字を、真の記録情報の文字とは上下逆になるような方向に配置させることがさらに好ましい。
続いて、例えば、化学パルプを７０％以上含有する第２の基紙２０を用意する。この第２の基紙２０上に、真の記録情報の文字と重なり合うように、かつ文字の一部を別の文字に変えた第２の擬似記録情報を印字または印刷して第２の隠蔽層１８を形成する。
【００２７】
このとき、図２（ｃ）に示すように、第２の擬似記録情報の文字は、真の記録情報の文字と同じ方向になるように配置させることが好ましい。
これらの擬似記録情報は、真の記録情報のうち、この情報を特定する、例えば、上の位の数字を異なった数字に変えている。すなわち、真の記録情報の「１」を第１の擬似情報では「５」に、第２の擬似情報では「７」に変えている。
【００２８】
次いで、第２の基紙の第２の隠蔽層１８が形成されている面の反対側の面に第２の記録情報である公開情報を印字または印刷する。
次いで、第１の基紙１４と第２の基紙２０とを、第１及び第２の隠蔽層１６，１８同士が対向するようして、かつ第１の基紙１４上の記録情報の文字やマークに第２の擬似記録情報の文字やマークが重なるようにして、接着剤層１７で接着する。このとき、第１及び第２の基紙１４，２０の場所により接着剤層１７の接着強度が異なるように、接着剤を次のようにして塗布する。図３（ｂ）は接着剤層１７の接着強度の様子を示す斜視図である。
【００２９】
まず、第１の基紙１４または第２の基紙２０のどちらかの隠蔽層を有する面上全面に、接着強度が弱い、例えば、水性アクリル系接着剤をロールコータなどで塗布する。
その後、接着強度が強い、例えば、水性ポリエステル系接着剤をロールコータなどでメタルマスクを用いるなどして選択的にある領域のみに塗布する。
【００３０】
この結果、図３に例示すように、Ｘ方向及びＹ方向において、接着強度が強い接着剤層１７ａと接着強度が弱い接着剤層１７ｂが、例えばストライプ状に相互に現れるように接着剤層１７が形成される。
なお、隠蔽性を向上させる目的で、接着剤層１７の材料として、暗色系、例えば黒色系の顔料が添加された接着剤を使用してもよい。この場合、白色度が高い上質の再生紙に再生できる程度に暗色系の顔料を添加するのが好ましい。
【００３１】
このようにして、本発明の実施の形態の隠蔽用紙２４を製造することができる。本発明の実施の形態の隠蔽用紙２４を図１（ｂ）の裏側Ａから光を透過させて観察すると、図２（ｄ）に示すような記録情報とは異なった情報を辛うじて確認することができる。
しかしながら、たとえ、この情報が見えたとしても、類似した文字が重なり合い、真の記録情報を特定する文字を第１及び第２の擬似記録情報で変えているので、数字に似た情報を確認できるが、この３つの記録情報を区別して真の記録情報を特定することは困難である。
【００３２】
このように、圧着はがき１１の用紙１０及び１２に本発明の実施の形態の隠蔽用紙２４を用いることにより、はがき内部の記録情報を特定することが困難になるので、圧着はがき１１の隠蔽性を向上させることができる。
圧着はがきや封書の外側に、真の記録情報の文字やマークとは全く異なる種類の地紋パターンを印刷して隠蔽している場合、真の記録情報と地紋パターンとを区別して見ることができるので、真の記録情報を読み取られてしまうおそれがあることはいうまでもない。
【００３３】
また、接着剤層１７の接着強度を場所により異なるようにしているので、第１の基紙１４と第２の基紙２０とを界面から無理やり剥がして隠蔽層１６、１８を除去しようとしても、途中で基紙が切れるなどして、上手く剥がすことができない。従って、圧着はがきや封書の内側の記録情報を裏面から無理やり読み取られることを防止することができるので、隠蔽性をさらに向上させることができる。
【００３４】
さらに、また、本発明の実施の形態の隠蔽用紙２４は、その裏面（図１、圧着はがき１１の用紙１０の裏面）に、隠蔽用の地紋を印刷する必要がなく、例えば、宣伝情報などの公開情報を印刷することができるので、圧着はがき１１の印刷エリアを有効に活用することができる。
次に、本発明の実施の形態の隠蔽用紙を他の圧着はがきや封書の用紙に用いた例を説明する。図４（ａ）は本発明の実施の形態の隠蔽用紙を用紙に用いた三つ折圧着はがきを示す斜視図である。
【００３５】
三ツ折圧着はがき１１ａは、図４（ａ）に示すように、一方の面に記録情報を備えた二つの用紙１０ａ，１０ｂとあて先が記載された面をもつ用紙１０ｃとで構成されている。これらの用紙１０ａ，１０ｂ，１０ｃは一体になって繋がっており、まず、二つの記録情報が対向するように折られ、次に、表面にあて先がくるようにさらに折られ、これらの面が圧着されて、三ツ折圧着はがき１１ａが作成される。
【００３６】
本発明の実施の形態の隠蔽用紙２４をこの三ツ折圧着はがき１１ａの用紙１０ａ，１０ｂ，１０ｃに用いることができ、上記の二つ折圧着はがきでの実施の形態と同様に、記録情報と類似の擬似記録情報を隠蔽用紙に備えることにより、内側に記載された記録情報を完全に隠蔽することができる。
図４（ｂ）は、本発明の実施の形態の隠蔽用紙を用紙に用いたミシン目入りの二ツ又は三ツ折封書を示す斜視図である。二ツ折又は三ツ折封書１１ｂの用紙１０ｄの内側には記録情報が記載され、受け取り人はミシン目を切ることによって記録情報を確認することができる。本発明の実施の形態の隠蔽用紙２４をこの封書１１ｄの用紙１０ｄに用いることができ、用紙１０ｄの内側に記録された記録情報を完全に隠蔽することができる。
（第２の実施の形態）
第２の実施の形態が第１の実施の形態と異なる点は、本発明の実施の形態の隠蔽用紙をゲームの用紙に用いた点である。
【００３７】
図５（ａ）は、ゲームの概略を示す平面図、図５（ｂ）は、図５（ａ）のＩＩ−ＩＩに沿ったＢ部の断面を示す部分断面図である。
図５（ａ）及び（ｂ）に示すように、ゲームシート３１の領域Ｂには、第１の基紙１４ａ上に記録情報である情報マーク２２ａが形成され、情報マーク２２ａ上には保護ニス層３０及びアルミニウムなどを含む不透明な塗膜３２が形成されている。この塗膜３２は情報マーク２２ａをゲームシート３１の表面上方から隠蔽するために形成されており、塗膜３２をコインなどでスクラッチすることにより、保護ニス層３０を介して情報マーク２２ａを確認することができる。
【００３８】
第１の基紙１４ａの下には、第１の実施の形態と同様に、上から順に、第１の隠蔽層１６ａ、接着剤層１７ｃ、第２の隠蔽層１８ａ及び第２の基紙２０ａが設けられている。そして、第１の隠蔽層１６ａ及び第２の隠蔽層１８ａには、第１の実施の形態と同様に、それぞれ第１の擬似記録情報及び第２の擬似記録情報が備えられている。また、接着剤層１７ｃは、第１の実施の形態の接着剤層１７と同様に、場所により接着剤強度が異なるように形成されている。
【００３９】
さらに、第２の基紙２０ａの第２の隠蔽層１８ａ側とは反対側の面、すなわち隠蔽用紙２４ａの裏側には、ゲームの説明や注意書きなどが記載されている。
このようにして、本実施の形態の隠蔽用紙を用いたゲームシート１１が基本構成されている。
次に、ゲームの用紙に用いられた本発明の実施の形態の隠蔽用紙の第１の隠蔽層１６ａ及び第２の隠蔽層１８ａについて説明する。
【００４０】
ゲームの中で「迷路」タイプのものを例にして説明する。情報マーク２２ａを表面上方から隠蔽している塗膜３２上には、「スタート地点」、「はずれ」、「等級」などの情報が印刷され、スタート地点の塗膜３２をコインなどでスクラッチすることからゲームが開始される。そして、露出した矢印マークに沿って次の塗膜３２をスクラッチすることにより、はずれか又はある等級にたどり着いてゲームが終了する。
【００４１】
図６（ａ）は、ゲームの情報マークの一部分を示す平面図、図６（ｂ）は第１の隠蔽層に備えられた第１の擬似記録情報の一部分を示す平面図、図６（ｃ）は第２の隠蔽層に備えられた第２の擬似記録情報の一部分を示す平面図である。
このタイプのゲームの記録情報は、情報マーク２２ａである矢印マークであり、図６（ａ）に示すように、「はずれ」である場合、スタート地点から矢印マークを順に追っていくと最後の矢印が「はずれ」に到着する。第１の隠蔽層１６ａに備えられた第１の擬似記録情報は、第１の実施の形態と同様に、記録情報と重なり合い、記録情報とは一部の情報を変えたものでる。例えば、図６（ｂ）に示すように、第１の擬似記録情報を、記録情報である矢印マークの中心部を軸にして回転させ、上下逆になるような方向にして配置する。そして、第１の擬似記録情報では、記録情報の中で情報を特定する、「はずれ」を指している上段の真中の湾曲した矢印マーク（図６（ａ）の３４）を、例えば、左向きの直線の矢印マーク（図６（ｂ）の３４ａ）に変えている。
【００４２】
第２の隠蔽層１８ａに備えられた第２の擬似記録情報も、記録情報と重なり合い、記録情報の一部の情報を変えたものである。例えば、第２の擬似記録情報を、記録情報の矢印マークの中心部を軸にして任意の角度に回転させた方向を向けて配置する。最適な形態としては、図７（ａ）に示すように、記録情報とほぼ同じ向きになるように配置する。そして、記録情報の上の段の真中の湾曲した矢印マーク（図６（ａ）の３４）を第２の擬似記録情報では下向きの直線の矢印マーク（図７（ａ）の３４ｂ）に変えている。
【００４３】
このようにして、ゲームの真の記録情報の下方に、第１及び第２の擬似記録情報を設けることによって、真の記録情報をゲームシート３１の裏面から特定できないように隠蔽する。このような構造のゲームシート３１の裏側に光を透過させ、ゲームシート３１の裏側から観察すると、図７（ｂ）に示すような種々の方向を指す矢印マークが重なり合った情報を辛うじて確認することができる。
【００４４】
しかしながら、たとえ、この情報が見えたとしても、第１及び第２の隠蔽層１６ａ，１８ａが備えた矢印マークは、当たりの等級やはずれの情報を特定するゲームの真の矢印マークの方向とは異なった方向を指し、これらが重なり合って見えるので、矢印がどこを指しているのかを特定することは困難である。また、ゲームの真の矢印マークと第１及び第２の隠蔽層が備えた矢印マークを区別して真の矢印マークだけを特定するのも困難である。
【００４５】
このように、本発明の実施の形態の隠蔽用紙２４ａをゲームシート３１の用紙に用いることにより、ゲームの「当たり」、「はずれ」の情報が裏面から読み取られることを防止することができるので、隠蔽性を向上させることができる。
また、本発明の実施の形態の隠蔽用紙２４ａを用いたゲームシート３１は、アルミニウムなどの金属や黒紙を含んでいないので、容易に上質の再生紙に再生することができるので、リサイクルなどの環境対策に貢献することができる。
【００４６】
さらに、また、接着剤層１７ｃを場所によりその接着強度が異なるようにしているので、ゲームシート３１から第２の基紙２０ａを上手く剥がして隠蔽層１６ａ、１８ａを除去するのが困難になる。従って、ゲームシート３１の裏面から無理やり真の記録情報が読み取られることを防止することができる。
（第３の実施の形態）
第３の本実施の形態が第１及び第２の実施の形態と異なる点は、本発明の実施の形態の隠蔽用紙を封筒の用紙に用いた点である。
【００４７】
図８（ａ）は本発明の実施の形態の隠蔽用紙を用紙に用いた封筒を閉じる前の状態を示す斜視図、図８（ｂ）は本発明の実施の形態の隠蔽用紙を用紙に用いた封筒を閉じた状態を示す斜視図である。
図８（ａ）及び（ｂ）に示すように、封筒４４は用紙４０が折られて筒状に作成されたものであり、その中に第３の基紙４２が封入されて閉じられる。この用紙４０は第１の実施の形態に係る隠蔽用紙２４からなる。
【００４８】
封筒４４の用紙４０の上、すなわち内側には、第１の実施の形態のように直接記録情報は記載されておらず、記録情報は、用紙４０以外の第３の基紙４２上に印字または印刷され、この第３の基紙４２が記録情報として封筒４４の中に封入される。
つまり、第１の実施の形態では、記録情報は第１の基紙１４上に形成された印字層２２であるのに対し、本実施の形態では、記録情報は封筒４４の中、すなわち第１の基紙１４の上方に接着されていない状態で設けられた第３の基紙４２上に記載された金額情報４３である。
【００４９】
この第３の基紙４２に記載される記録情報の種類、例えば、金額情報４３に合わせて、第１の実施の形態と同様に、本発明の実施の形態の隠蔽用紙２４を封筒４４の用紙４０として用いればよい。これにより、封筒４４の中に封入された第３の基紙に記録された記録情報４３を完全に隠蔽することができる。
以上、第１、第２及び第３の実施の形態により、この発明の詳細を説明したが、この発明の範囲は上記実施の形態に具体的に示した例に限られるものではなく、この発明を逸脱しない要旨の範囲の上記実施の形態の変更はこの発明の範囲に含まれる。
【００５０】
例えば、真の記録情報の実施の形態として、数字からなる金額情報及び矢印マークを例示したが、文字、図柄、模様、コメント文、記号、各種の絵などの用紙に記載できるものであれば何でもよいことはいうまでもない。
また、第１及び第２の擬似記録情報の文字やマークなどの配置位置の最適な実施の形態を図２、図６及び図７で例示したが、これに限定されるものではなく、第１及び第２の擬似記録情報の文字やマークなどは、真の記録情報の少なくとも一部の文字やマークなどと重なっていればよく、また、文字やマークなどの配置角度は隠蔽性が高くなるように任意に設定すればよい。
【００５１】
また、第１及び第２の擬似記録情報の文字やマークを真の記録情報の文字やマークに対して、一つのみ変えた例を例示したが、これに限定されるものではなく、二つ以上変えてもよく、全体的に真の記録情報に類似した文字やマークになるようにすればよい。
【００５２】
【発明の効果】
以上説明したように、本発明によれば、基紙上の記録情報を基紙の裏面から見えないように隠蔽するため、用紙の内部に記録情報の少なくとも一部の情報と重なり、かつ前記記録情報とは少なくとも一部の情報が異なるように形成された第１の擬似記録情報を備えた第１の隠蔽層を有している。
【００５３】
すなわち、第１の隠蔽層が有する第１の擬似記録情報は、基紙上の真の記録情報と類似しており、真の記録情報の一部、例えば、ある情報を特定できる文字やマークなどを異なるようにし、かつ真の記録情報と第１の擬似記録情報との文字やマーク同士の少なくとも一部が重なり合うようにして配置されている。
従って、基紙を裏面から見た場合、真の記録情報と類似した文字やマークを確認することができるが、例えば、真の記録情報を特定する文字やマークが異なり、かつ同じような文字やマークが、重なり合っているので、真の記録情報と擬似記録情報を区別して読みとることが困難になる。これにより、基紙の上方の記録情報が、裏面から読み取られることを防止することができ、隠蔽性を向上させることが可能となる。
【００５４】
また、本発明の隠蔽用紙は、アルミニウムなどの金属を含まず、かつ黒紙を用いていないので、白色度が高い上質の再生紙に容易に再生することが可能となる。
さらに、また、用紙の外側一面に地紋などを印刷する必要がないので、用紙の外側一面にわたって公開情報などを印刷することができ、印刷エリアを有効に活用することが可能となる。
【図面の簡単な説明】
【図１】（ａ）は第１の実施の形態に係る、本発明の実施の形態の隠蔽用紙を用紙に用いた二ツ折圧着はがきを示す斜視図、（ｂ）は（ａ）のＩ−Ｉに沿った部分断面図である。
【図２】（ａ）は第１の実施の形態に係る二ツ折圧着はがきの記録情報を示す平面図、（ｂ）は第１の実施の形態に係る、本発明の実施の形態の隠蔽用紙が備えた第１の擬似記録情報を示す平面図、（ｃ）は第１の実施の形態に係る、本発明の実施の形態の隠蔽用紙が備えた第２の擬似記録情報を示す平面図、（ｄ）は（ａ）、（ｂ）及び（ｃ）を重ね合わせたときに圧着はがきの裏面から確認できる情報を示す平面図である。 
【図３】本発明の実施の形態の隠蔽用紙の接着剤層の接着強度の様子を示す斜視図である。
【図４】（ａ）は第１の実施の形態に係る、本発明の実施の形態の隠蔽用紙を用紙に用いた三ツ折圧着はがきを示す斜視図、（ｂ）は本発明の実施の形態の隠蔽用紙を用紙に用いた封書を示す斜視図である。
【図５】（ａ）はゲームシートの概略を示す平面図、（ｂ）は第２の実施の形態に係る、本発明の実施の形態の隠蔽用紙を用紙に用いたゲームシートの断面を示す部分断面図である。
【図６】（ａ）はゲームの情報マークを示す平面図、（ｂ）は第２の実施の形態に係る、本発明の実施の形態の隠蔽用紙が備えた第１の擬似記録情報を示す平面図である。
【図７】（ａ）は第２の実施の形態に係る、本発明の実施の形態の隠蔽用紙が備えた第２の擬似記録情報を示す平面図、（ｂ）は図６（ａ）、（ｂ）及び図７（ａ）を重なり合わせた際にゲームシートの裏面から確認できる情報を示す平面図である。
【図８】（ａ）及び（ｂ）は第３の実施の形態に係る、本発明の実施の形態の隠蔽用紙を用紙に用いた封筒を示す斜視図である。
【符号の説明】
１０，１０ａ，１０ｂ，１０ｃ，１２，４０  用紙
１１  二ツ折圧着はがき
１１ａ  三ツ折圧着はがき
１１ｂ  封書
１３，４３  金額情報（記録情報）
１４，１４ａ  第１の基紙
１６，１６ａ  第１の隠蔽層
１７，１７ｃ  接着剤層
１７ａ  接着強度が強い接着剤層
１７ｂ  接着強度が弱い接着剤層
１８，１８ａ  第２の隠蔽層
２０，２０ａ  第２の基紙
２２  印字層
２２ａ  情報マーク（記録情報）
２４，２４ａ  隠蔽用紙
３０  保護ニス層
３１  ゲームシート
３２  塗膜
３４，３４ａ，３４ｂ  矢印マーク
４２  第３の基紙
４４  封筒
【図１】
0004499273.tif 000002
【図２】
0004499273.tif 000003
【図３】
0004499273.tif 000004
【図４】
0004499273.tif 000005
【図５】
0004499273.tif 000006
【図６】
0004499273.tif 000007
【図７】
0004499273.tif 000008
【図８】
0004499273.tif 000009